(57)【要約】【課題】開閉が容易であると共に挟持した膝掛けが容易に抜け落ちることのなく、デリケートな生地から成る膝掛けにも好適に使用することができる膝掛けクリップを提供する。【解決手段】膝掛け７０を挟持する一対の板状の挟持部３１、４１を備えたクリップ本体１０と、クリップ本体１０をベビーカー又は車椅子の車体に固定する固定具２０とを有する膝掛けクリップにおいて、挟持部３１、４１に、膝掛け７０を挿通するための膝掛け挿通孔３３、４３を設ける。これにより、膝掛け７０を膝掛け挿通孔３３又は４３に挿通した上で一対の挟持部３１、４１で挟持することができるため、膝掛け７０に力が加わった場合でも膝掛けが容易に抜け落ちてしまうことがない。また、クリップ本体１０として比較的挟持力が弱いものを使用することができるため、開閉が容易であると共に、デリケートな生地から成る膝掛け７０であっても生地を傷めることなく保持することができる。【選択図】図２
2019056427.tif 000002
【特許請求の範囲】
【請求項１】
a) 膝掛けを挟持する一対の板状の挟持部を備えたクリップ本体と、
b) 前記一対の挟持部の少なくとも一方に形成された膝掛け挿通孔と、
c) 前記クリップ本体を取付対象物に固定する固定具と、
を有することを特徴とする膝掛けクリップ。
【請求項２】
前記膝掛け挿通孔の開口形状が長方形であることを特徴とする請求項１に記載の膝掛けクリップ。
【発明の詳細な説明】
【技術分野】
【０００１】
本発明は、ベビーカーや車椅子などにおいて、使用者の身体に掛けた膝掛け（ブランケット又はタオルケット等）が落下しないよう、該膝掛けを車体に固定するための膝掛けクリップに関する。
【背景技術】
【０００２】
従来、ベビーカー等に取り付けて膝掛けの落下を防ぐためのクリップとして、特許文献１のようなものが知られている。これは、膝掛けを挟持するクリップに紐状の連結具を取り付け、該連結具をベビーカー等の車体を構成するパイプに固定するものである。
【先行技術文献】
【特許文献】
【０００３】
【特許文献１】実登3033103号公報
【発明の概要】
【発明が解決しようとする課題】
【０００４】
しかし、従来の膝掛けクリップでは、膝掛けに力が加わった際に、該膝掛けがクリップから抜け落ちてしまうことがあった。これは特に薄手の膝掛けを使用した場合に顕著な問題である。こうした膝掛けの抜け落ちを防止する方法として、例えば、挟持力の強いクリップを使用することが考えられるが、その場合、クリップの開閉に大きな力が必要となり、膝掛けの着脱をスムーズに行えなくなるという問題があった。また、膝掛けがガーゼなどのデリケートな生地から成る場合、挟持力の強いクリップでは生地を傷めるおそれがあった。
【０００５】
本発明は、上記の点に鑑みて成されたものであり、その目的とするところは、開閉が容易であると共に挟持した膝掛けが抜け落ち難く、デリケートな生地から成る膝掛けにも好適に使用することができる膝掛けクリップを提供することにある。
【課題を解決するための手段】
【０００６】
上記課題を解決するために成された本発明に係る膝掛けクリップは、
a) 膝掛けを挟持する一対の板状の挟持部を備えたクリップ本体と、
b) 前記一対の挟持部の少なくとも一方に形成された膝掛け挿通孔と、
c) 前記クリップ本体を取付対象物に固定する固定具と、
を有する、
ことを特徴としている。
【０００７】
ここで、前記取付対象物とは、例えば、ベビーカー又は車椅子の車体を構成するパイプ等が挙げられるが、これに限定されるものではない。
【発明の効果】
【０００８】
上記構成から成る膝掛けクリップによれば、膝掛けを前記貫通孔に挿通した上で一対の挟持部で挟持することができるため、膝掛けに力が加わった場合でも膝掛けが容易に抜け落ちることがない。また、クリップ本体として比較的挟持力が弱いものを使用することができるため、開閉が容易であると共に、デリケートな生地から成る膝掛けであっても、生地を傷めることなく保持することができる。
【図面の簡単な説明】
【０００９】
【図１】本発明の一実施形態に係る膝掛けクリップの構成を示す斜視図。
【図２】前記膝掛けクリップに膝掛けを挟む過程を示す図。
【図３】前記膝掛けクリップで膝掛けを挟んだ状態を示す図。
【発明を実施するための形態】
【００１０】
以下、本発明を実施するための形態について図面を参照しつつ説明する。図１は、本発明の一実施形態に係る膝掛けクリップの構成を示す斜視図である。本実施形態に係る膝掛けクリップは、大きく分けてクリップ本体１０と、ベルト２０とで構成される。
【００１１】
クリップ本体１０は、対向配置された略同一形状の第１クリップ片３０と第２クリップ片４０とを備えている。第１クリップ片３０と第２クリップ片４０は、いずれも金属から成るものであって、両者の間に配置されたピン５０によって互いに回動可能に連結されている。第１クリップ片３０及び第２クリップ片４０の材料となる金属は、錆びにくく堅固であれば何でも良く、例えば亜鉛合金、銅、ステンレススチール等が好適である。以下、第１クリップ片３０及び第２クリップ片４０において、ピン５０が取り付けられた位置よりも先端側を挟持部３１、４１とよび、後端側をつまみ部３２、４２とよぶ。ピン５０の周りにはコイルばね６０が取り付けられており、第１クリップ片３０及び第２クリップ片４０は、コイルばね６０の弾性力によって、挟持部３１、４１の先端が互いに接触した状態（すなわちクリップ本体１０が閉じた状態）となるよう付勢されている。
【００１２】
挟持部３１、４１の中央には、幅1cm〜3cm、長さ2cm〜5cmの長方形の貫通孔である膝掛け通し孔３３、４３が形成されている。なお、ここでは挟持部３１、４１の表面において、第１クリップ片３０及び第２クリップ片４０の回動軸であるピン６０の延伸方向と平行な方向を幅とし、前記幅と直交する方向を長さとする。挟持部３１、４１の膝掛け通し孔３３、４３よりも先端側の領域には膝掛けを係止するための突起状の歯３４、４４が設けられている。第１クリップ片３０及び第２クリップ片４０のつまみ部３２、４２の表面には、クリップ本体１０を開く際に、使用者の指が滑らないよう、滑り止めの凹凸３５が形成されている。更に、第２クリップ片４０のつまみ部４２にはベルト通し孔４６が形成されている。
【００１３】
ベルト通し孔４６には、幅2cm〜3cm、長さ15cm〜30cm程度のベルト２０（本発明における固定具に相当）が挿通される。ベルト２０は、その両端をほぼ同じ長さだけベルト通し孔４６から突出させた状態で二つ折りして第２クリップ片４０の後端近傍で縫い合わせることにより、ベルト通し孔４６から抜けないように構成されている。また、ベルト２０は、両端部のうちの一方に面ファスナーのフック部が、他方の端部にループ部が形成されている。なお、ループ部は、フック部が形成されたベルト２０の面とは別の面に形成されている。
【００１４】
本実施形態に係る膝掛けクリップをベビーカーや車椅子の車体に取り付ける際には、第２クリップ片４０の後端を、前記車体を構成するパイプの周面に添えた状態でベルト２０の両端を順にパイプに巻き付ける。このとき、ベルト２０とパイプの間に隙間が生じないように締め付ける。
【００１５】
本実施形態に係る膝掛けクリップに膝掛けを保持させる際には、まず第１クリップ片３０及び第２クリップ片４０のつまみ部３２、４２を指でつまんで挟持部３１、４１の先端を離間させ（すなわち、クリップ本体１０を開いた状態とし）、膝掛け７０の隅の部分を、第２クリップ片４０の膝掛け通し孔４３（又は第１クリップ片３０の膝掛け通し孔３３）に挿通する（図２参照）。このとき、膝掛け７０は、第２クリップ片４０の膝掛け通し孔４３（又は第１クリップ片３０の膝掛け通し孔３３）に、クリップ本体１０の外側から内側に向かって挿通させるようにする。続いて、第１クリップ片３０の挟持部３１と第２クリップ片４０の挟持部４１との間に突出した膝掛け７０の一部分を、挟持部３１、４１の先端方向（図２中の太矢印の方向）に向かって数センチほど引き出し、その後、つまみ部３２、４２から指を離してクリップ本体１０を閉じた状態とする。これにより、第１クリップ片３０の挟持部３１と第２クリップ片の挟持部４１との間に膝掛け７０の一部が挟持された状態となる（図３参照）。
【００１６】
このように、本実施形態に係る膝掛けクリップによれば、膝掛け７０を一旦、膝掛け通し孔３３又は４３に通した上で挟持するため、膝掛け７０に力が加わった場合でも膝掛け７０が容易に抜け落ちることがない。また、クリップ本体１０として比較的挟持力が弱いものを使用することができるため、デリケートな生地から成る膝掛け７０であっても、生地を傷めることなく保持することができる。また、膝掛け通し孔３３、４３は、その開口形状が長方形となっているため、膝掛け通し孔３３又は４３に挿通させた膝掛け７０は、その生地が膝掛け通し孔３３又は４３の幅方向の中心に向かって寄せられた状態となる。そのため、生地に厚みを持たせることができ、薄手の膝掛け７０であっても確実に挟持することができる。また、膝掛け通し孔３３、４３は縦長の（すなわち幅よりも長さが大きい）長方形であるため、上記のように生地を中心に寄せるために膝掛け通し孔３３、４３の幅を狭くしても、膝掛け通し孔３３、４３の開口面積を十分に確保することができ、膝掛け７０を容易に挿通することができる。
【００１７】
なお、本実施形態に係る膝掛けクリップには、膝掛け７０を保持するほか、乳幼児用のおもちゃを保持させることもできる。この場合、挟持部３１、４１によっておもちゃを挟持するようにしてもよく、あるいは、おもちゃに取り付けられた紐やフックを膝掛け通し孔３３、４３に通して固定するようにしてもよい。
【００１８】
以上、本発明を実施するための形態について具体例を挙げて説明を行ったが、本発明は上記の例に限定されるものではなく、本発明の趣旨の範囲で適宜変更が許容される。
【００１９】
例えば、上記実施形態では、膝掛け通し孔３３、４３の開口形状を縦長の長方形としたが、これに限定させるものではなく、例えば、正方形や円形としてもよい。また、上記実施形態では、第１クリップ片３０と第２クリップ片４０の双方に膝掛け通し孔３３、４３を設けたが、いずれか一方のみに膝掛け通し孔を設けるようにしてもよい。更に、上記実施形態では、第１クリップ片３０及び第２クリップ片４０を金属から成るものとしたが、これに限らず、例えば樹脂など、いかなる素材で構成してもよい。また、クリップ本体１０の挟持部３１、４１を互いに接触する方向に付勢する手段としては、上述のコイルばね６０のほか、例えば、板ばねなど、種々の弾性体を用いることができる。
【００２０】
更に、上記実施形態では、面ファスナーのフック部とループ部をベルト２０の両端に設けることにより、該ベルト２０の両端を結合するようにしたが、これ以外の構成でもよい。例えば、着脱式のバックルの雌部と雄部を、その位置を移動可能にベルトの両端に取り付けてもよい。また、ベルトの両端部のうちの一方にＤ環を取り付け、他方の端部に面ファスナーのフック部とループ部を形成し、該他方の端部をＤ環に通して折り返してフック部とループ部を貼り合わせるようにしてもよい。
【００２１】
また、本発明においてクリップ本体をベビーカーの車体等の取付対象物に取り付けるための固定具は、上記のベルト２０に限らず、例えば紐やリングなどで構成してもよい。
【符号の説明】
【００２２】
１０…クリップ本体
２０…ベルト
３０…第１クリップ片
４０…第２クリップ片
３１…、４１…挟持部
３２、４２…つまみ部
３３、４３…膝掛け通し孔
３４、４４…歯
３５…凹凸
４６…ベルト通し孔
５０…ピン
６０…コイルばね
７０…膝掛け
【図１】
2019056427.tif 000003
【図２】
2019056427.tif 000004
【図３】
2019056427.tif 000005